(57)【要約】【課題】外周スプライン歯へのコーティング処理効率が高められつつもそのコーティングの品質が損なわれない車両用ドライブシャフトを提供する。【解決手段】内側シャフト部３４の一端部の内周面には、内周側に突設されて内側シャフト部３４と第２ヨーク部３６との摩擦圧接時に生じる熱を放熱するための放熱フィン５４が形成されていることから、上記摩擦圧接時に生じる熱が内側シャフト部３４の他端部側に形成された外周スプライン歯３２に伝わり難いので、その熱に起因して外周スプライン歯３２に形成されたダイヤモンドライクカーボンコーティングの密着力が低下するのを抑制することができる。そのため、第２軸３８の一部である内側シャフト部３４に対してコーティング処理を施すことでコーティング処理効率を高めつつも、その後の摩擦圧接時に外周スプライン歯３２のコーティングの品質が損なわれるのを抑制することができる。【選択図】図２
2011179589.tif 000002
【特許請求の範囲】
【請求項１】
複数本の内周スプライン歯が内周面に形成された円筒状の外側スリーブ部を一端部に有する第１軸と、
前記内周スプライン歯に噛み合うと共にダイヤモンドライクカーボンコーティングが施された複数本の外周スプライン歯が外周面に形成され、前記第１軸の外側スリーブ部内にそれと相対回転不能且つ軸心方向の摺動可能に嵌め入れられた円筒状の内側シャフト部と、該内側シャフト部の一端部に同心に摩擦圧接された継手部とを有する第２軸とを、備えた伸縮自在の車両用ドライブシャフトであって、
前記内側シャフト部の一端部の内周面には、内周側に突き出して設けられた突部が形成されていることを特徴とする車両用ドライブシャフト。
【請求項２】
前記突部は、前記摩擦圧接時において前記外周スプライン歯の温度が該外周スプライン歯に施された前記ダイヤモンドライクカーボンコーティングの処理温度以下となる放熱面積を有するように形成されていることを特徴とする請求項１の車両用ドライブシャフト。
【請求項３】
前記突部は、前記摩擦圧接時において前記外周スプライン歯の温度が２００度以下となる放熱面積を有するように形成されていることを特徴とする請求項２の車両用ドライブシャフト。
【請求項４】
前記突部は、前記軸心方向における前記内側シャフト部の一端と前記外周スプライン歯との間において、該内側シャフト部の一端部の内周面に該軸心まわりの所定間隔で設けられた複数の放熱フィンを有することを特徴とする請求項１乃至３のいずれか１の車両用ドライブシャフト。
【請求項５】
前記突部は、前記摩擦圧接時に前記内側シャフト部の一端部の内周面に形成されるバリとの接触を避けるために、該内側シャフト部の一端から前記軸心方向の他端部側に所定距離だけ離されて形成されることを特徴とする請求項１乃至４のいずれか１の車両用ドライブシャフト。
【発明の詳細な説明】
【技術分野】
【０００１】
本発明は、車両用ドライブシャフトに関し、特に、継手部材をシャフト部材に摩擦圧接により接合しても、そのシャフト部材の外周スプライン歯へ処理されたコーティングの品質が損なわれないようにするための技術に関するものである。
【背景技術】
【０００２】
複数本の内周スプライン歯が内周面に形成された円筒状の外側スリーブ部を一端部に有する第１軸と、前記内周スプライン歯に噛み合うと共にダイヤモンドライクカーボンコーティングが施された複数本の外周スプライン歯が外周面に形成され、前記第１軸の外側スリーブ部内にそれと相対回転不能且つ軸心方向の摺動可能に嵌め入れられた円筒状の内側シャフト部を一端部に有すると共に、継手部を他端部に有する第２軸とを、備えた伸縮自在の車両用ドライブシャフトが知られている。例えば、特許文献１に記載されたものがそれである。
【０００３】
このような車両用ドライブシャフトは、例えば、プロペラシャフトの一部に用いられ、車両の走行状態や走行路面の凹凸等により逐次変化する駆動側と被駆動側との相対的な位置関係に応じて、軸長が適宜変化しつつ回転するようになっている。上記軸長変化時に互いに摺動する前記内周スプライン歯および外周スプライン歯は、その外周スプライン歯に施されたダイヤモンドライクカーボンコーティング（ＤＬＣ膜）を介して摩擦摺動させられるために、摩耗が低減され、また、固着が抑制されている。
【先行技術文献】
【特許文献】
【０００４】
【特許文献１】特開２００７−１７７９５５号公報
【発明の概要】
【発明が解決しようとする課題】
【０００５】
ところで、上記従来の車両用ドライブシャフトにおいては、前記外周スプライン歯にダイヤモンドライクカーボンコーティングを形成するために、前記第２軸全体に対してコーティング処理が施されていた。実際にダイヤモンドライクカーボンコーティングが必要となる部位は外周スプライン歯であるのに対し、第２軸全体にコーティング処理を施すのは非効率的であり、製造コストが高くなる要因となっていた。
【０００６】
これに対して、外周スプライン歯が形成された前記内側シャフト部を含むシャフト部材と前記継手部を含む継手部材とを別体で製作し、上記シャフト部材にコーティング処理を施した後に、そのシャフト部材の一端部と前記継手部材の一端部とを摩擦圧接により接合させて第２軸を製作することが考えられる。これによれば、第２軸の一部であるシャフト部材に対してコーティング処理が施されることから、コーティング処理炉内に入る部品個数が増えるので、コーティング処理効率を高めて製造コストを低減することが可能となる。
【０００７】
しかしながら、シャフト部材の一端部と継手部材の一端部との摩擦圧接時にその一端部に生じる熱が外周スプライン歯に伝わることにより、その外周スプライン歯のダイヤモンドライクカーボンコーティングの密着力が低下する可能性があった。これに対して、シャフト部材の一端部を長くすることにより、その一端部の端面と外周スプライン歯との距離を離間させて上記摩擦圧接時の熱が外周スプライン歯に伝わり難くすることが考えられる。しかし、それだと第２軸の全長が長くなって車両用ドライブシャフトの設計基準を満たさなくなってしまう。
【０００８】
本発明は以上の事情を背景としてなされたものであり、その目的とするところは、継手部材をシャフト部材に摩擦圧接により接合しても、そのシャフト部材の外周スプライン歯へ処理されたコーティングの品質が損なわれない車両用ドライブシャフトを提供することにある。
【課題を解決するための手段】
【０００９】
かかる目的を達成するための請求項１にかかる発明の要旨とするところは、(a-1) 複数本の内周スプライン歯が内周面に形成された円筒状の外側スリーブ部を一端部に有する第１軸と、(a-2) 前記内周スプライン歯に噛み合うと共にダイヤモンドライクカーボンコーティングが施された複数本の外周スプライン歯が外周面に形成され、前記第１軸の外側スリーブ部内にそれと相対回転不能且つ軸心方向の摺動可能に嵌め入れられた円筒状の内側シャフト部と、その内側シャフト部の一端部に同心に摩擦圧接された継手部とを有する第２軸とを、備えた伸縮自在の車両用ドライブシャフトであって、(b) 前記内側シャフト部の一端部の内周面には、内周側に突き出して設けられた突部が形成されていることにある。
【００１０】
また、請求項２にかかる発明の要旨とするところは、請求項１にかかる発明において、前記突部は、前記摩擦圧接時において前記外周スプライン歯の温度がその外周スプライン歯に施された前記ダイヤモンドライクカーボンコーティングの処理温度以下となる放熱面積を有するように形成されていることにある。
【００１１】
また、請求項３にかかる発明の要旨とするところは、請求項２にかかる発明において、前記突部は、前記摩擦圧接時において前記外周スプライン歯の温度が２００度以下となる放熱面積を有するように形成されていることにある。
【００１２】
また、請求項４にかかる発明の要旨とするところは、請求項１乃至３のいずれか１にかかる発明において、前記突部は、前記軸心方向における前記内側シャフト部の一端と前記外周スプライン歯との間において、その内側シャフト部の一端部の内周面に前記軸心まわりの所定間隔で設けられた複数の放熱フィンを有することにある。
【００１３】
また、請求項５にかかる発明の要旨とするところは、請求項１乃至４のいずれか１にかかる発明において、前記突部は、前記摩擦圧接時に前記内側シャフト部の一端部の内周面に形成されるバリとの接触を避けるために、その内側シャフト部の一端から前記軸心方向の他端部側に所定距離だけ離されて形成されることにある。
【発明の効果】
【００１４】
請求項１にかかる発明の車両用ドライブシャフトによれば、その第２軸の内側シャフト部の一端部の内周面には、内周側に突き出して設けられた突部が形成されていることから、第２軸を構成する内側シャフト部と継手部との一端部同士の摩擦圧接時に上記内側シャフト部の一端部に生じる熱が突部から放熱されるために、上記熱が外周スプライン歯に伝わり難いので、その熱に起因して外周スプライン歯に形成されたダイヤモンドライクカーボンコーティングの密着力が低下するのを抑制することができる。そのため、摩擦圧接時において外周スプライン歯のコーティングの品質が損なわれるのを抑制することができる。
【００１５】
また、請求項２にかかる発明の車両用ドライブシャフトによれば、前記突部は、前記摩擦圧接時において前記外周スプライン歯の温度がその外周スプライン歯に施された前記ダイヤモンドライクカーボンコーティングの処理温度以下となる放熱面積を有するように形成されていることから、上記摩擦圧接時に生じる熱により外周スプライン歯の温度がダイヤモンドライクカーボンコーティングの処理温度を超えてそれに形成されたダイヤモンドライクカーボンコーティングの密着力が低下するのを防止することができるので、外周スプライン歯へのコーティング処理効率が高められつつもそのコーティングの品質が損なわれるのを防止することができる。
【００１６】
また、請求項３にかかる発明の車両用ドライブシャフトによれば、前記突部は、前記摩擦圧接時において前記外周スプライン歯の温度が２００度以下となる放熱面積を有するように形成されていることにある。上記摩擦圧接時に生じる熱により外周スプライン歯の温度が２００度を超えてそれに形成されたダイヤモンドライクカーボンコーティングの密着力が低下するのを防止することができるので、外周スプライン歯へのコーティング処理効率が高められつつもそのコーティングの品質が損なわれるのを防止することができる。
【００１７】
また、請求項４にかかる発明の車両用ドライブシャフトによれば、前記突部は、前記軸心方向における前記内側シャフト部の一端と前記外周スプライン歯との間において、その内側シャフト部の一端部の内周面に前記軸心まわりの所定間隔で設けられた複数の放熱フィンを有することから、上記摩擦圧接時に生じる熱の多くが外周スプライン歯に伝わる前に上記複数の放熱フィンから放熱されるので、その熱に起因して外周スプライン歯に形成されたダイヤモンドライクカーボンコーティングの密着力が低下するのを抑制することができる。
【００１８】
また、請求項５にかかる発明の車両用ドライブシャフトによれば、前記突部は、前記摩擦圧接時に前記内側シャフト部の一端部の内周面に形成されるバリとの接触を避けるために、その内側シャフト部の一端から前記軸心方向の他端部側に所定距離だけ離されて形成されることから、摩擦圧接時に内側シャフト部の一端部の内周面に形成されるバリと放熱フィンとが接触せずに摩擦圧接が正常に行われる。
【図面の簡単な説明】
【００１９】
【図１】本発明の一実施例の車両用ドライブシャフトを一部断面にて示す図である。
【図２】図１の第２軸を拡大して示す断面図である。
【図３】摩擦圧接後には第２軸の内側シャフト部を構成する摩擦圧接前のシャフト部材の一例を示す断面図である。
【図４】放熱フィンが形成されない従来のシャフト部材の摩擦圧接時の温度分布を軸心方向における圧接面からの距離に応じて示す図である。
【発明を実施するための形態】
【００２０】
以下、本発明の一実施例を図面を参照して詳細に説明する。なお、以下の実施例において図は説明を容易にするために適宜簡略化或いは変形されており、各部の寸法比および形状等は必ずしも正確に描かれていない。
【実施例】
【００２１】
図１は、本発明の一実施例の車両用ドライブシャフト（以下、ドライブシャフトと記載する）１０を一部断面にて示す図である。図１において、ドライブシャフト１０は、車両の駆動源と駆動輪との間の動力伝達経路に設けられて上記駆動源側から入力された駆動力を上記駆動輪側へ出力する所謂プロペラシャフトである。本実施例のドライブシャフト１０は、例えば、ＦＲ式の車両において、図示しない差動歯車装置の入力軸としてのピニオンシャフト１４および図示しない変速機の出力軸１８に対して第１自在継手２０および第２自在継手２２を介して連結される。上記第１自在継手２０および第２自在継手２２は、前記変速機の出力軸１８とドライブシャフト１０との間、およびドライブシャフト１０と前記差動歯車装置のピニオンシャフト１４との間において各回転軸心が交差角を有していても回転を伝達するシェルカップ型のフック式自在継手である。
【００２２】
上記ドライブシャフト１０は、複数本の内周スプライン歯２４が内周面に軸心Ｃまわりの等間隔で形成された円筒状の外側スリーブ部２６を一端部に有すると共に、前記第１自在継手２０を構成する第１ヨーク部２８を他端部に有する第１軸３０を備えている。また、ドライブシャフト１０は、内周スプライン歯２４に噛み合うと共にダイヤモンドライクカーボン（ＤＬＣ）コーティングが施された複数本の外周スプライン歯３２が外周面に軸心Ｃまわりの等間隔で形成され、第１軸３０の外側スリーブ部２６内にそれと相対回転不能且つ軸心Ｃ方向の摺動可能に嵌め入れられた円筒状の内側シャフト部３４と、その内側シャフト部３４の一端部に同心に摩擦圧接されて前記第２自在継手２２を構成する第２ヨーク部（継手部）３６とを、有する第２軸３８を備えている。上記摩擦圧接とは、同心に位置する２部材の端面が所定の荷重で圧接させられた状態でそれら２部材が軸心まわりに急速に相対回転させられたときに発生する摩擦熱により相互に接合されるものである。
【００２３】
上記第１ヨーク部２８は、円筒状の基部４０と、その基部４０の外周部のうち軸心Ｃを挟む位置からそれぞれ軸心Ｃと平行な方向へ突設された一対のアーム部４２とを有している。そして、第１ヨーク部２８は、基部４０のアーム部４２とは反対側において円管部４４の一端部に同心に摩擦圧接されている。
【００２４】
前記外側スリーブ部２６は、内周スプライン歯２４が形成された端部とは反対側において円管部４４の他端部に同心に摩擦圧接されている。
【００２５】
図２は、図１の第２軸３８を拡大して示す断面図である。図１および図２において、前記第２ヨーク部３６は、円筒状の基部４６と、その基部４６の外周部のうち軸心Ｃを挟む位置からそれぞれ軸心Ｃと平行な方向へ突設された一対のアーム部４８とを有している。上記基部４６のアーム部４８とは反対側の外周面には、第１軸３０の外側スリーブ部２６の外周側に設けられ、内周面に外側スリーブ部２６の外周面との間に形成される円環状の隙間を封止するためのシール部材５２が嵌め着けられた円管部５０が固定されている。そして、第２ヨーク部３６は、基部４６のアーム部４８とは反対側において前記内側シャフト部３４の一端部に同心に摩擦圧接されている。
【００２６】
図２に示すように、内側シャフト部３４の外周面には、その他端部側に外周スプライン歯３２が形成されている。そして、内側シャフト部３４の一端部の内周面には、軸心Ｃ方向における内側シャフト３４の第２ヨーク部３６側の一端と外周スプライン歯３２との間において、軸心Ｃまわりに等間隔で内周側に突き出して設けられた複数枚の放熱フィン５４が形成されている。この放熱フィン５４は、たとえば内側シャフト部３４の内周面に形成された環状突起に、ブローチングによって複数本（本実施例では１２本）の軸方向のスリットを形成することにより設けられ、内側シャフト部３４と第２ヨーク部３６との摩擦圧接時にその内側シャフト部３４の一端部に生じる熱を放熱するための放熱突起として機能するものである。なお、放熱フィン５４は、本発明における突部に相当するものである。本実施例の放熱フィン５４は、上記摩擦圧接時に内側シャフト部３４の一端部の内周面に形成されるバリ５６との接触を避けるために、内側シャフト部３４の一端から軸心Ｃ方向の他端部側に所定距離だけ離されて形成されている。例えば、放熱フィン５４は、図３に示すような上記摩擦圧接前のシャフト部材６０において圧接面６２から例えば離間距離Ｌ＝５[mm]だけ離されて形成されている。また、放熱フィン５４は、軸心Ｃを通る断面形状が台形となるように形成されると共に、上記摩擦圧接時において外周スプライン歯３２の温度Ｔ[℃]がその外周スプライン歯３２に形成されるダイヤモンドライクカーボンコーティングの処理温度たとえば200[℃]以下となる放熱面積を有するように形成されている。このことに関して以下で具体的に説明する。
【００２７】
図３は、前記摩擦圧接後には第２軸３８の内側シャフト部３４を構成する摩擦圧接前のシャフト部材６０の一例を示す断面図である。図３において、上記シャフト部材６０は、たとえば、一端部の外径Ｄ１＝44.9[mm]、内径Ｄ２＝34[mm]、圧接面６２から外周スプライン歯３２の一端までの距離ｘ１＝30[mm]となるように形成される。また、放熱フィン５４は、例えば、軸心Ｃを通る断面形状が上面長さａ＝5[mm]、底面長さｂ＝25[mm]、高さｈ（（内径Ｄ２−内径Ｄ３）／２ ，内径Ｄ３＝20[mm]）＝7[mm]である台形となるように形成され、円周方向に等間隔で１２個設けられる。このように構成されるシャフト部材６０の一端部は、上記１２個の放熱フィン５４が形成されない従来のシャフト部材に比べて、表面積すなわち放熱面積が約3184[mm2]増加される。
【００２８】
図４は、前記従来のシャフト部材の摩擦圧接時の温度Ｔ[℃]の分布を前記軸心Ｃ方向における圧接面からの距離ｘ[mm]に応じて示す図である。前記従来のシャフト部材においては、図４に１点差線で示すように、圧接面からの距離ｘ１＝30[mm]である外周スプライン歯３２の一端は、摩擦圧接時に約230[℃]に達してしまう。しかし、圧接面からの距離ｘ１＝35[mm]の位置は、摩擦圧接時においても200[℃]以下である。そこで、外周スプライン歯３２の一端を摩擦圧接時においても200[℃]以下にするには、シャフト部材６０の一端部を5[mm]延長すればよい。すなわち、圧接面６２から外周スプライン歯３２の一端までの距離ｘ１を35[mm]とすればよい。このシャフト部材６０の一端部の延長により増加する放熱面積は、約1290[mm2]である。本実施例のように、１２個の放熱フィン５４が形成されることにより増加する放熱面積は約3184[mm2]であるため、本実施例のシャフト部材６０によれば、シャフト部材６０の一端部を延長せずとも外周スプライン歯３２の一端を摩擦圧接時においても200[℃]以下に維持することができる。
【００２９】
上記のように構成されるドライブシャフト１０は、車両の走行状態や走行路面の凹凸等により逐次変化する駆動側の前記変速機と被駆動側の前記差動歯車装置との相対的な位置関係に応じて、第１軸３０の外側スリーブ部２６と第２軸３８の内側シャフト部３４とが軸心Ｃ方向に相対的に摺動することにより、軸長が適宜変化しつつ回転するようになっている。上記軸長変化時に互いに摺動する外側スリーブ部２６の内周スプライン歯２４および内側シャフト部３４の外周スプライン歯３２は、その外周スプライン歯３２に施されたダイヤモンドライクカーボンコーティング（ＤＬＣ膜）を介して摩擦摺動させられるために、摩耗が低減され、また、固着が抑制されている。
【００３０】
上述のように、本実施例の車両用ドライブシャフト１０によれば、その第２軸３８の内側シャフト部３４の一端部の内周面には、内周側に突き出して設けられて内側シャフト部３４と第２ヨーク部（継手部）３６との一端部同士の摩擦圧接時に上記一端部に生じる熱を放熱するための放熱フィン（突部）５４が形成されていることから、上記摩擦圧接時に生じる熱が内側シャフト部３４の他端部側に形成された外周スプライン歯３２に伝わり難いので、その熱に起因して外周スプライン歯３２に形成されたダイヤモンドライクカーボンコーティングの密着力が低下するのを抑制することができる。そのため、第２軸３８全体に対してコーティング処理を施すのではなく、その第２軸３８の一部である内側シャフト部３４に対してコーティング処理を施すことでコーティング処理効率を高めつつも、その後に行われる摩擦圧接時において外周スプライン歯３２のコーティングの品質が損なわれるのを抑制することができる。
【００３１】
また、本実施例のドライブシャフト１０によれば、放熱フィン５４は、前記摩擦圧接時において外周スプライン歯３２の温度Ｔ[℃]がその外周スプライン歯３２に形成されるダイヤモンドライクカーボンコーティングの処理温度たとえば200[℃]以下となる放熱面積を有するように形成されていることから、上記摩擦圧接時に生じる熱により外周スプライン歯３２が200[℃]を超えてそれに形成されたダイヤモンドライクカーボンコーティングの密着力が低下するのを防止することができるので、外周スプライン歯３２へのコーティング処理効率が高められつつもそのコーティングの品質が損なわれるのを防止することができる。
【００３２】
また、本実施例のドライブシャフト１０によれば、放熱フィン５４は、軸心Ｃ方向における内側シャフト部３４の一端と外周スプライン歯３２との間において、その内側シャフト部３４の一端部の内周面に軸心Ｃまわりの所定間隔で複数設けられていることから、前記摩擦圧接時に生じる熱の多くが外周スプライン歯３２に伝わる前に上記複数の放熱フィン５４から放熱されるので、その熱に起因して外周スプライン歯３２に形成されたダイヤモンドライクカーボンコーティングの密着力が低下するのを抑制することができる。
【００３３】
また、本実施例のドライブシャフト１０によれば、放熱フィン５４は、前記摩擦圧接時に内側シャフト部３４の一端部の内周面に形成されるバリ５６との接触を避けるために、その内側シャフト部３４の一端から軸心Ｃ方向の他端部側に所定距離だけ離されて形成されることから、摩擦圧接時に内側シャフト部３４の一端部の内周面に形成されるバリ５６と放熱フィン５４とが接触せずに摩擦圧接が正常に行われる。
【００３４】
以上、本発明の一実施例を図面を参照して詳細に説明したが、本発明はこの実施例に限定されるものではなく、別の態様でも実施され得る。
【００３５】
たとえば、前述の実施例において、ドライブシャフト１０は、その両端部がシェルカップ型のフック式自在継手により他部材と連結されていたが、上記シェルカップ型のフック式自在継手以外の継手部材により連結されてもよい。
【００３６】
また、前述の実施例では、放熱フィン５４によって突部が形成されていたが、放熱に寄与する形状であれば如何なる形状のものでもよい。
【００３７】
また、前述の実施例において、放熱フィン５４は、内側シャフト部３４の軸心Ｃに平行な方向に形成されていたが、その軸心Ｃに平行な方向に対して所定の斜角たとえば４５°程度に斜めに形成されてもよい。このようにすれば、摩擦圧接のために内側シャフト部３４が軸心Ｃまわりに回転駆動されたとき、軸心Ｃ方向の気流が発生して、一層放熱効果が高められる。
【００３８】
なお、上述したのはあくまでも一実施形態であり、その他一々例示はしないが、本発明は、その主旨を逸脱しない範囲で当業者の知識に基づいて種々変更、改良を加えた態様で実施することができる。
【符号の説明】
【００３９】
１０：車両用ドライブシャフト
２４：内周スプライン歯
２６：外側スリーブ部
３０：第１軸
３２：外周スプライン歯
３４：内側シャフト部
３６：第２ヨーク部（継手部）
３８：第２軸
５４：放熱フィン（突部）
【図１】
2011179589.tif 000003
【図２】
2011179589.tif 000004
【図３】
2011179589.tif 000005
【図４】
2011179589.tif 000006